(57)【特許請求の範囲】
【請求項１】
数対のローラー・ダイをウェブ加工物を処理するための所定のクリアランスに支持してやり、該数対のローラー・ダイの少なくとも一部が該ローラー・ダイ間のクリアランスを変更すべく調節可能であり、これによりそれらの間を通過するウェブ加工物の厚さの変動を受容するローラー・ダイ装置であって、
各ローラー・ダイ対中の第１・２のローラー・ダイが各ローラースタンドに回転可能に取り付けられており、
該第１・２のローラー・ダイが互いに異なる面内にある少なくとも２個の成形面を有しており、
第１・２ローラー・ダイの少なくともいくつかが相互に対して可動であって第１・２のローラー・ダイ間のクリアランスを調節し、
第１・２のローラー・ダイの一方にローラー・ダイ・ベアリングが設けられており、
調節手段が該ローラー・ダイ・ベアリングをその回転軸に対して軸・横方向に動かし、
制御手段が第１・２ローラー・ダイの一方の軸・横方向運動を同時に起動し、
これにより第１・２のローラー・ダイの一方がローラー・ダイ装置の作業中に回転軸に対して斜交する軸に沿って動かされて、第１・２のローラー・ダイ間のクリアランスの調節が２段階同時に行われる
ことを特徴とするローラー・ダイ装置。
【請求項２】
第１・２のローラー・ダイの一方が前記各ローラー・ダイ対中に固定され、
該各ローラー・ダイ対中の他方が可動ローラー・ダイを前記斜交する軸に沿って動かす調節手段により可動であって、
共通の調節制御による運動のために全調節手段が相互に連結されている
ことを特徴とする請求項１に記載の装置。
【請求項３】
可動ローラー・ダイ・ベアリングが偏心回転可能なベアリング手段を有しており、
該ベアリング手段が軸方向に滑動可能であって、第１・２のローラー・ダイの一方の軸・横運動を同時に起動する
ことを特徴とする請求項２に記載の装置。
【請求項４】
調節手段を駆動する動力駆動手段が設けられている
ことを特徴とする請求項３に記載の装置。
【請求項５】
前後端を定め、
厚さセンサーがウェブ加工物の厚さを検知してこれに応じて厚さ信号を発生し、
該厚さ信号が調節手段を起動し、
これにより、前記厚さ信号に応答して両軸に沿ってのローラー・ダイ・ベアリングの同時運動を生じる
ことを特徴とする請求項４に記載の装置。
【請求項６】
前記調節可能なローラー・ダイ対が２個の調節可能なローラー・ダイ対の群中に配列されており、
各調節可能なローラー・ダイ対が離れた位置でウェブ加工物に係合する上下のダイを有しており、
上側のダイが可動であり、
下側のダイが固定されており、
第１の単一運動制御手段がウェブ加工物の一方の側で全ての上側ダイを連結し、
第２の単一運動制御手段がウェブの他方の側で全ての下側ダイを連結し、
伝達手段が前記第１・２の単一運動制御手段を連結し、
前記厚さ信号に反応して第１・２の単一運動制御手段の運動を同時に起こす
ことを特徴とする請求項５に記載の装置。
【請求項７】
前記各第１・２の単一運動制御手段が各ダイに結合していて、単一運動制御手段が動くと、軸・横運動を生じる
ことを特徴とする請求項６に記載の装置。
【請求項８】
ウェブガイドロールが設けられていて、ウェブ加工物の側端に係合してウェブ加工物の軸方向整列を制御する
ことを特徴とする請求項１に記載の装置。
【請求項９】
前端ピンチロールが設けられていて、ウェブ加工物の側端に沿ってウェブ加工物の上下面に係合する
ことを特徴とする請求項８に記載の装置。
【請求項１０】
前端ピンチロールとウェブガイドロールが互いに接近離間して可動であって異なる幅のウェブ加工物を受容できる
ことを特徴とする請求項９に記載の装置。
【請求項１１】
左右の端部形成ダイがウェブ加工物上における端部形成を制御し、
端部形成ダイを相互に動かす手段が端部形成を所定の限度内に保つ
ことを特徴とする請求項１に記載の装置。
【請求項１２】
延伸ロールがウェブ加工物に係合してウェブ加工物の巻きつきを修正することを特徴とする請求項１に記載の装置。
【請求項１３】
延伸ロールが下固定ロールと下固定ロールに対して可動の上可動ロールとを有しており、
上可動ロールの支持手段が設けられている
ことを特徴とする請求項１２に記載の装置。
【請求項１４】
上可動ロールの支持手段が上下に可動であって、支持手段を上下に動かす動力駆動手段を有している
ことを特徴とする請求項１３に記載の装置。
【請求項１５】
運動手段が前記上下のロールの一方を他方に対して動かして、異なる高さのウェブ加工物を受容する
ことを特徴とする請求項１４に記載の装置。
【請求項１６】
側部制御ロールが設けられていてウェブ加工物の側部フランジの側部と係合してその角度を制御する
ことを特徴とする請求項１に記載の装置。
【請求項１７】
取付けブロックが前記側部接続ロールを取付け、
取付けブロック可動支持手段が設けられていて、取付けブロックを２個の位置の間で傾斜させる
ことを特徴とする請求項１６に記載の装置。
【請求項１８】
垂直面内で可動な支持手段が設けられていて、上コーナー形成傾斜ダイの位置を上下に調節する
ことを特徴とする請求項１７に記載の装置。
【請求項１９】
支持手段が水平面中で可動であり、これにより前記上コーナー形成傾斜ダイの位置を内外方に調節する
ことを特徴とする請求項１８に記載の装置。
【発明の詳細な説明】
技術分野
本発明はロール成形機械、成形法、シート材料の連続ストリップ、そして、特に、ロール間の間隔がウェブの厚さまたはウェブの幅の変化に対応して調節できるロール成形機械に関する。
背景技術
ロール成形機械は従来、複数組のロールをもち、それらは通常、上部および下部の対として配置され、通常、ローラー・スタンド上の機械の長さにわたって間隔をあけて配置されていた。典型的には、一つのスタンドのローラー・ダイがウェブに連続形状をつくり、次のスタンドのローラー・ダイがもう一つの形状をつくり、または、例えば、前のスタンドで開始された成形の角度を大きくする。
そのようなロール成形機械を使用して、屋根葺き用板や、消費者用装置の広い範囲で変化に富んだ製品が作られている。形状は、単純に、一方の端部にまたは両方の端部につくられる端部成形形状のあるウェブであったり、またはＣ断面であったり、またはＵ断面であったりするが、多くの場合、ウェブの長さ方向にわたって並行につくられる比較的複雑な成形形状をもつ。
一般的にいえば、ロールのそれぞれのスタンドには、一対のものとして配置される二つの下部ダイと二つの上部ダイがあり、ウェブ中心軸のどちらかの側でウェブを成形する。下部ダイはウェブの下側と係合し、上部ダイはウェブの上側と係合する。ダイは円形で、回転する軸に取り付けられ、したがって、ダイはシート金属と同じ速度で回転できる、。
シート金属と同じ速度でダイを回転できるように、ダイにはギヤ駆動機構が接続されている。
そのようなローラー・ダイのそれぞれの組は、ウェブの特定の形状をつくることができるように設計されなければならない。加えて、ダイのそれぞれの対は、ウェブの厚みによって決められるクリアランスをもたなけらばならない。
このように、一つの厚さのウェブについての作業を停止して、次にもう一つの厚さのウェブをダイの間に通したいときには、ローラー・ダイのそれぞれの対は、新しいウェブの新しい厚さに対応するために、新しいクリアランスをもつように再調整されなければならない。これは、微細な調整を要するために、コストにはねかえる停止時間を必要とする。
これら全てのことは、この技術では非常によく知られており、従来の動作過程として許容されている。
しかしながら、ロール成形過程には更なる問題があることが良く知られている。ローラー機械に対しての基本的な供給材料であるシート材料のウェブは、望ましくは、ウェブの全長にわたってその厚さが非常に狭い範囲になければならない。もし、ウェブの厚さに著しい変化があれば、クリアランスの固定されたダイが、ローラー・スタンドに沿ってウェブが通過するときに、ウェブに与える効果が変化し、またはウェブがつっかえて製造ラインを停止させることがある。実際、ある種のウェブ材料については、その厚さが許容範囲よりも大きく変化することが知られる。これは最終的な成形ウェブに、歪みや曲がりやねじれなどの不都合な結果をつくりだし、さらに引っ掛かりを引き起こす結果となる。
一般的に云えば、機械の実際の動作中には、ローラー・ダイのクリアランスを調節することは不可能で、実行できる最良の方法は、最初の段階で、機械技術者がダイのクリアランスを所定の平均のウェブ厚さに設定することである。しかし、この方法で選られる結果は、いつも完全に満足できるものではない。
理論的には、それぞれのスタンドのダイの対の間の間隔またはクリアランスの自動自己調節ができるようにすることである。しかしながら、ダイの形状のせいで、そのような調節には困難が伴う。従来、ダイは二つの表面をもち、一つの表面は多かれ少なかれウェブ自体の面に対して水平または少なくとも平行で、もう一つの表面はウェブ成形角度に設定される。
もし、ウェブの幅が前のウェブの幅よりも広いまたは狭いウェブを成形するために同じローラー・ダイを使用することが望まれる場合には、ほかの種類の問題が生じる。
過去においては、スタンドのそれぞれを、処理される新しいウェブの幅を考慮するために、手動で互いに離して置いたり近づけて置いたりしなければならなかった。しかし、一つのウェブ幅に対してダイ配置を解体し、新しいウェブ幅に対応するために、その間に多くの、もしくは少数のローラーをもつダイを再組み立てするのは時間のかかるものであった。加えて、これはやっかいな時間のかかる手作業であった。
したがって、対で設置されるローラー・スタンドで、それぞれの対のスタンドのそれぞれの一方が他方に対して相対的に横方向に移動できるスタンドを提供することが望まれる。
ダイ・クリアランスの調節とスタンド幅の調節の両方ができると、一セットのローラー・スタンドとダイを使用して、異なる厚さと異なる幅をもつウェブの加工処理を行うことが可能である。これは、製作業者が、一台の機械を使用して、さまざまな幅とさまざまな厚さの“Ｃ”断面をもつ標準的なロール成形断面をつくることを可能にする。これは機械に対する資本投資が少なくて済むようにする。加えて、一つのウェブからもう一つのウェブに交換する際に必要な停止時間を少なくし、また熟練作業の必要性も少なくする。
もし、ダイの対の間に、ある種の駆動機構によってスペーサ・ロールが導入されるならば、更なる節減が実現される。
ある種のロール成形断面、特に内側に折れ曲がった縁をもつＣ字形状の断面、または部分的に閉じたボックス断面をもつものの成形には更なる問題が生じる。
このタイプの断面では、Ｃまたは部分的に閉じたボックス断面の二つの端部または縁部は内側に折れ曲がっている。これは、従来、端縁をまずロール成形し、次にＣの曲がりを、後ですなわち下流でロール成形した。最後の曲げを成形するためには特別のダイが必要で、これらのダイの調節ができるのが望ましい。ウェブの厚さに対応できるように、そしてＣ断面の異なる寸法が成形できるようにするために、この位置でのそのようなダイの調節をすることは、しかし、更なる問題を生じる。
発明の開示
本発明の一側面は、ダイ・スタンドの横幅の調節機構、およびダイの間にスペーサ・ロールを挿入したり取り除いたりする手段を提供することである。
本発明のこの形式は、テーブルの上にスペーサ・ロールを乗せて、ダイ・スタンドの間を上方および下方に動く可動式支持テーブルを含む。
本発明の他の一側面は、ローラー・ダイの対を所定のクリアランスをもつように支持し、その回転軸に垂直の方向の上方および下方に前記ローラー・ダイの一方を動かす手段をもち、そして、その回転軸にそって軸方向に前記ローラー・ダイの一方を動かす手段をもち、したがって、二つの平面でダイのクリアランスを調節できる、ローラー・ダイ装置を提供することにある。
調節のための全ての移動が、サービスや調整のためのアクセスが容易なように、ある一つの共通の位置で行えるようにするために、ダイの一方が固定されて、ダイのもう一方が軸方向の移動調節および横方向の調節移動の両者が出来るようにするのが望ましい。
本発明のもう一つの形式では、前記下部ローラー・ダイを軸方向に動かす手段があり、さらに前記上部ローラー・ダイを横方向に動かす手段があって、前記ダイのそれぞれを互いから独立に調節出来るようにする。
この場合、下部ダイがその回転軸に沿って軸方向に動き、上部ダイがその軸に垂直の横方向に動く。
本発明は、軸方向に動けるダイの全てが調和をもって動くようにするために、それらを接続する軸方向の運動伝達機構を提供し、また、横方向に動けるダイの全てが調和をもって動くようにするために、それらを接続する横方向の運動伝達機構を提供し、そして、前記運動伝達機構のそれぞれを作動する動力を提供する。
本発明は、前記ウェブ加工材料の厚さを検知しそして厚さ信号を発生する厚さ検知器を提供し、前記運動伝達機構を動かすために移動信号を発生する信号応答手段を提供し、こうして前記移動可能なダイの同時運動を可能にする。
本発明は、また、縁部形状をロール成形するための縁部成形ローラー・ダイ装置を含み、前記ローラー・ダイの少なくともいくつかを、もう一方に対して相対的に移動して、それらの間のクリアランスを変えるようにする手段を提供する。
本発明の更なる側面は、加工片の歪みを防ぐための、ローラー・ダイから出た加工片とかみ合わされるのに適合した伸ばしロールを含む、伸ばし装置を提供することである。
本発明を性格づける新しいさまざまな特徴が、添付の請求の範囲の中でさらに特定して指摘されており、それらはこの開示の一部をなしている。本発明の更なる理解、その動作上の利点、その使用により得られる特別の利点の理解のために、本発明の望ましい実施例が例示され詳細が記述された添付の図面および説明を参照されたい。
【図面の簡単な説明】
図１は、シート材料ウェブの加工のためのローラー・ダイ装置の部分的に切断された側面図で、シート材料の経路に沿って間隔をあけて配置された複数のローラー・ダイ・スタンドと、模式的に示された制御装置を例示する。
図２は、断面として示された図１の一部の上面図である。
図３は、図１のローラー装置の拡大側面図で、可動式押し上げテーブルとスペーサー・ロールとを例示するために部分的に切断されている。
図４は、ローラー・スタンドを支持する二つの側部プレートおよび横方向移動機構の上面模式図である。
図５は、第一の位置にある場合の、図１のローラー・ダイ装置の線５−５での断面図である。
図６は、第二の位置にある場合の部品を示す、図５に対応した断面図である。
図７は、第三の位置にある場合の部品を示す、図５に対応した断面図である。
図８は、図２の線８−８に沿って切断された一個のローラー・スタンドの断面図で、上部ダイの移動手段の詳細を示す。
図９は、図８の線９−９に沿った、図８の一部に対応する断面図である。
図１０は、図７の線１０−１０に沿った断面図で、移動の様子を示す。
図１１は、図１０の線１１−１１に沿った断面図で、上部ダイの上方および下方への移動を示す。
図１２は、部分切断した上面図で、上部ダイのための軸方向の移動機構を示す。
図１３は、図１１に対応した断面図で、上部ダイの下部ダイに対する相対的な軸方向の移動の様子を示す。
図１４は、上部ダイを有するハウジング、上方および下方への移動機構、軸方向への移動機構を示す斜視図である。
図１５は、図１から図１４の実施例の特徴のあるものを応用したロール成形機械の別の実施例の側面図である。
図１６は、図１５の実施例の上面図である。
図１７は、図１６上で１７とマークした領域を示す大きく拡大された上面図である。
図１８は、図１６で１８とマークした領域を示す大きく拡大された上面図である。
図１９は、図１６で１８とマークした領域の側面図である。
図２０は、図１９の線２０−２０に沿った断面図である。
図２１は、図１９の線２１−２１に沿った断面図である。
図２２は、図１９の線２２−２２に沿った断面図である。
図２３は、図１９の線２３−２３に沿った断面図である。
図２４は、図１９の線２４−２４に沿った断面図である。
図２５は、図１７の線２５−２５に沿った断面図である。
図２６は、本発明のもう一つの実施例を例示するローラー・ダイ装置の上面図である。
図２７は、図２６の線２７−２７に沿った拡大断面図で、上部の傾斜のついたコーナー成形ダイの一方の側面と装置の側面制御ロールと、Ｃ断面をもつウェブを示し、そして点線で横方向の調節のための移動を示す。
図２８は、その上に側面制御ロールが取り付けられる取り付け装置の斜視図である。
図２９は、図２８に対応した展開斜視図である。
図３０は、傾斜のついた上部ダイの一つの正面図で、調節可能な取り付けを示し、垂直方向の調節のための移動を点線で示す。
本発明の実施の態様
まず、図１を参照すると、この図は、ウェブ・シート金属の加工ラインで使用されるタイプの通常のロール成形装置を一見してわかるように例示していることが理解されよう。これに付加される装置は、ロール巻を解く装置、平らにする装置、切り落とすための切断用ダイ、そして積み上げ装置や搬送装置であり、これらの全ての装置は基本的にはこの技術では良く知られたものである。
ロール成形装置は一般的にＢで示される基底部を含み、上流端部Ｕから下流端部Ｄに至り、ウェブ・シート金属は右側から左側に、端部Ｕから端部Ｄに連続的に移動し、この時に、順次ロール成形されていく。
ウェブＷのロール成形は、一般的に１０、１２、１４、１６、１８、２０、２２、２４、２６、２８、３０、３２、３４、３６で示される一連の対になったローラー・ダイ・スタンドで順次実行される。スタンドは一定の間隔で、ウェブＷの通路に沿って配置されている。図２に示されるように、スタンドのそれぞれの対は、１０Ａ、１０Ｂ、１２Ａ、１２Ｂなどで例示されている。スタンドは互いに移動が出来て、異なる幅のウェブＷに対応出来る。スタンド１０Ａ、１０Ｂなどは、図２および図３に示されるように、連続状の直立プレート３８と４０に支持され、プレートの下方端は基底部Ｂに固定されている。
それぞれのスタンド１０Ａ、１２Ａなどは上部と下部の横向きベアリング・シャフト４２、４４をもつ（図５）。上部と下部のダイ４６、４８は、対応するシャフト４２、４４に取り付けられるようになっている。相補的なベアリング・スリーブ５０、５２がスタンド１０Ｂ、１２Ｂなどによって支持され、それが上部および下部ダイ５４、５６を支持する。
本装置は、また、側面プレート３８、４０を互いに相対的に横方向に移動する手段を含む。これは、適切なモータにより駆動される長手方向の側部シャフト５８を含み、それは、異なる幅のウェブ・ストリップを加工出来るようにするために、全てのスタンドを互いに相対的に横方向に移動させるように、プレート３８、４０のそれぞれの端部で適切な方法で横方向移動手段シャフト５９に接続されている（以下に記述される）。
本発明によると、また、上記のように、ダイの間のクリアランスを、ウェブ材料の厚さまたはゲージに出来るだけ近い値に適合させるために、上下のダイの少なくとも一方を互いに相対的に調節するための手段が提供されている。
本発明によるそのような調節は、その全てが以下に記述されるように、ウェブが実際にダイの間を通り抜けているときに行われ、ウェブの幅の長さ方向の変化を補償する。
図１を参照すると、ウェブの厚さを検知するユニット６０が、ロール成形装置の上流端Ｕに取り付けられている。厚さ検知ユニットは、典型的には一対のロール６２と、コンピュータ制御センター６４に接続される信号発生器（図示されていない）で構成される。
以下に記述する方法で、ウェブが検知ユニットを通過すると、ウェブがローラー・ダイ・スタンドに入る前に、検知ユニットは、ウェブの厚さまたはゲージを検知する。信号発生器６０は、コンピュータ６４にゲージ信号を送る。以下に記述される機構によって、ダイの間のクリアランスが、検知ユニットにより検知された実際の厚さまたはゲージに応じて、近づけられるか、またはさらに離されるか調節される。
下部ロールシャフトはそこに固定された駆動ギヤ７０をもち、上部ロールシャフト４２は、そこに固定されそしてギヤ７０と噛み合うギヤ７２をもつ。このように、下部ロールシャフト４４がすべて同じ回転方向に駆動されるとき、全ての上部ロールシャフトは逆の回転方向に駆動される。シャフトは対応するスリーブ５０、５２に入れこ式に接続され、それらを駆動する。したがって、これはダイ４６、４８、５４、５６を、加工片（Ｗ）の反対側で逆方向に、良く知られた方法で回転させるようにする。
下部シャフト４４のそれぞれは、プレート３８の穴７４にあるベアリングに回転出来るように取り付けられる。
上部シャフト４２は、ベアリング・ハウジング７６の中で保持される。それぞれのベアリング・ハウジング７６は、プレート３８にある適切な穴の中で支持される。
ベアリング・ハウジング７６は以下に記述される方法で回転することが出来て、上部ダイ４６の上方および下方への移動を可能にする。これが、以下に記述される方法で、その軸を横断する平面で上部ダイを調節することにより、上下ダイの間のクリアランスが調節出来るようにする。
下部ベアリング・スリーブ５２は、側面プレート４０の適切な穴に取り付けられる。上部ベアリング・スリーブ５０は上部ベアリング・ハウジング８０に取り付けられ、ハウジング７６と同じ方法で回転出来る。ベアリング・ハウジング７６、８０の中にはローラー・ベアリングが装着されている。
側面プレート３８、４０は、この場合、５インチから６インチの厚さで、ローラー・スタンドのシャフト、スリーブおよびダイに強力な支持を提供する。
上部ダイ４２、５４の軸方向の調節の動きは、以下に記述される方法で行われ、こうして、横方向の平面および軸方向に調節の動きが出来るようにする。
上に説明したようにダイ・スタンド１０Ａ、１０Ｂ、１２Ａ、１２Ｂなどを含むプレート３８、４０が二つの横方向の動きを伝達するシャフト５９の手段によって互いに相対的に遠ざかったり近づいたりする動きができる。上部及び下部シャフト４２、４４は、スリーブ５０、５２の中に入れこ式に滑り込むように寸法が決められ設計されている。このような方法でダイ・スタンド１０Ａ、１２Ａなどからの駆動が上に記述したようにダイ・スタンド１０Ｂ、１２Ｂなどに伝達される。
しかし、図５、６および７を参照すると、横方向の移動手段がシャフト４２、４４をスリーブから完全に引っ込めるように動作し、従ってシャフトの自由端とスリーブの間に空白の空間を作ることが理解されよう。
この特徴は、もしダイを交換しなければならないときには、ダイの簡単な交換を可能にする。しかしもっと重要なことは、この特徴が、シャフトの自由端とスリーブの間にスペーサ・ロール８４を挿入できるようにすることである。。これは手動で実行される。しかし本発明の特徴によると、対となったダイ・スタンドのそれぞれに対するスペーサ・ロールのセットは、全長にわたる支持テーブル８６により支えられる。支持テーブル８６は長方形の管状構造（図５）をもち、その上面に沿って複数のスペーサ・ロール支持ブラケット８８が互いに間隔をあけて配置され、一般的に下方を向いた三側面をもつ窪みがある。ブラケット８８の長さに沿って、記憶バネ９０が間隔をあけて取り付けられている。
スペーサ・ロール８４のそれぞれのセットには、中央軸方向に穴があり、それはスタンド１０Ａ、１２Ｂなどのシャフト４４にはまるように設計されている。
図３のようにテーブルを押し上げる手段が一般的に９４で示され、それはテーブル８６の下に位置している。図３は一つのテーブルを移動する手段だけを図示する。しかしそのような移動手段はテーブルのそれぞれの端に一個ずつあり、従って移動手段が動作する時、テーブルが押し上げられたり、または押し下げられたりする間にもテーブルは水平に保たれる。
移動手段は、押し上げシャフト９６とガイド・シャフト９８を含む。両シャフトは駆動ハウジング１００を突き抜けている。一台のモータ１０２が駆動シャフト１０４を駆動し、シャフト延長部１０６がモーター１０２からの駆動力をもう一方のテーブル押し上げ移動手段（図１参照）に接続する。圧搾空気式または油圧式シリンダーのような他の動力駆動手段もまた使用できる。
再び図５を参照すると、テーブル８６は垂直平面で上下に移動可能であると同様に横方向にも移動可能であることが理解されよう。横方向の移動は、側面プレート４０の移動に対応して、横方向のキャリッジ１０８（図５）の手段によって実行される。
図５、６および７の比較は、二つの側面プレート３８、４０及びローラ・ダイ・スタンドの同時に閉じる動きを可能にするために、テーブル全体と押し上げ機構が基本的には右側に動いたのを示している。図７では横方向キャリッジ１０８が、基底部Ｂの長方形部分で実質的に右側に延びていることに注意されたい。
すでに説明したように、一方の側面にある全てのスタンド１０Ａ、１２Ａと、もう一方の側面にある全てのスタンド１０Ｂ、１２Ｂは、対応する連続状側面プレート３８、４０の一部として形成される（図１、４）。それぞれの側面プレートのそれぞれの端部には、いわゆる上流端と下流端には、１１２で示される十分な幅をもつクロス・ベアリング管が配置されている。スタンド１０Ａ、１２Ａなどと１０Ｂ、１２Ｂなどのそれぞれに対する側面プレート３８、４０には、管１１２にはまるように整合するベアリング・スリーブ１１４がある。
これは、一方の側にあるスタンド１０Ａと、もう一方の側にある１０Ｂなどの全セットを、互いに調和をとって横方向に近づけたり遠ざけたりする移動を可能にする手段を提供する。一方の端にある管１１２ともう一方の端にある管１１２との間の空間は自由な開放空間であり、テーブル８６を押し上げたり押し下げたりすることを可能にする。
図５、６及び７の例はスペーサ・ロール８４の全てをもちあげる下部シャフト４４を例示するけれども、ある特定の応用例ではスペーサ・ロールの全てを必要としないことも十分可能であることは勿論理解されよう。従って、この場合に必要なことは、単にシャフト４４をスペーサ・ロール８４の重なりの中に途中まで挿入することである（図６と７を参照）。そしてテーブル８６が押し下げられ、スペーサ・ロールのいくつかをシャフト４４の上に残し、スペーサ・ロールの残りを下方に取り除き、テーブル８６にのせておく。
つぎにダイ・スタンドが図７のように閉じられて、その時ダイの間のスペーサ・ロールが少なくなっているので、実際はダイ・スタンドは図７に示される以上に互いに近づく。
これらの動作はコンピューター６４により制御できて、ウェブの一つの幅からウェブのもう一つの幅への取り替えは、単純にコンピューターにプログラムされるいくつかの命令を必要とするだけであり、それに従ってダイ・スタンドは引き離され、全てのスペーサ・ロールを取り上げるか又はそのいくつかを選択するかに応じて部分的に又は完全に閉じるように移動される。
スペーサ・ロールの除去又はその個数の変更は同じような方法で実行される。
この場合、テーブル８６はスペーサ・ロール８４と接触するまで押し上げられる。この時点で側面フレームは完全に開くように移動され、シャフト４４をスペーサ・ロール８４から引き抜く。これはスペーサ・ロール８４がテーブル８６の上のラック８８上で自由に取り残されるようにする。つぎにテーブル８６が下げられダイ・スタンドが再び単に閉じられる。
ダイ・クリアランスの調節
上に一般的に記述されたように、この実施例では、ダイ・クリアランスの調節は上部ダイを下部ダイに対して相対的に移動することにより実行される。この実施例では、下部ダイは調節されない状態に留まる。
上部ダイの調節は二つの平面で行われる、すなわちシャフト４２の軸方向に沿ってダイがシャフト４２と共に軸方向に動くことと、第２に、ダイがシャフト４２の軸方向に対して直角の軸上で、すなわち上下に移動される。
両方の平面で調節を可能にすることにより、ウェブがローラー・ダイを通過する間でもウェブの厚さの変化に対して調整することができる。
垂直方向の（上下の）調節は図８、９、１０、１１及び１４を参照すると最もよく理解される。
すでに説明したように、下部ダイ４８は調節されない状態に留まる。それは、そのシャフト４４上で単純に回転し、シャフトはプレート３８に直接取り付けられたベアリングの中で回転する。
同様のことは又、プレート４０のスリーブに取り付けられたダイ５６についても正しい。
しかしながら、スタンド１０Ａのダイ４６とスタンド１０Ｂのダイ５４の二つの上部ダイは、それぞれ、スタンド１０Ａのシャフト４２上に、そしてスタンド１０Ｂのスリーブ５０にそれぞれ取り付けられている。更に、シャフト４２とスリーブ５０の両者は、それぞれ７６、８０で示されたベアリング・スリーブに支持されている。つぎに、ベアリング・スリーブは、それぞれ対応するプレート３８、４０に作られた穴の中に収められており、従って、それらは単純に回転できる。
しかし、ベアリング・ハウジングの回転手段によって調節できるようにするために、ベアリング・ハウジング７６には、ベアリングとシャフト４２を含む、オフセットとなったシャフト受け１２０が取り付けられている。シャフト受け１２０の軸は、スリーブ７６の中心軸からオフセットとなっている（図１０参照）。こうにして、ベアリング・ハウジング７６が回転するとき、シャフト４２の軸がベアリング・ハウジング７６の軸に対して相対的に動くようにする。
ベアリング・スリーブ７６が適切に位置どりされていると、その最も狭い点とその最も広い点が多かれ少なかれ水平軸（図１０）上にあり、ベアリング・ハウジング７６の一方向への回転がシャフト４２を上方へ動かし、ハウジング７６の逆方向への回転がシャフト４２を下方に移動させる。
スタンド１０Ｂに目を転じると、ベアリング・ハウジング８０に取り付けられたシャフト・スリーブ５０も、また、同じ特徴をもつことがわかるであろう。すなわち、ベアリング・ハウジング８０にある受け１２２は、ベアリング・ハウジング８０の中心軸に対してオフセットとなっており、従ってスリーブ５０の中心軸は、ベアリング・ハウジング８０の中心軸に対してオフセットとなっている。
このように、もしベアリング・ハウジング８０が一方向に回転すると、シャフト・スリーブ５０は上方に動き、もしベアリング・ハウジング８０が反対方向に回転すると、シャフト・スリーブ５０は下方に動く。
ベアリング・ハウジング７６、８０の回転運動が調和をとるようにするために、それぞれのベアリング・ハウジングには半輪状の扇形ギヤ１２４があり、それは適切な位置で対応するベアリング・ハウジング７６、８０の縁部に溶接されている。
スタンド１０Ａ、１０Ｂには、扇形ギヤ１２５と噛み合う二つのラック１２６がある（図９、１０）。それぞれのラックは、対応する押し引き棒１２８に取り付けられている。二つの押し引き棒１２８は、対応するスタンド１０Ａ、１２Ａなど及び１０Ｂ、１２Ｂなどの上部領域に伸びるように取り付けられている（図２）。押し引き棒１２８は、便利なようにその長さ方向に沿ってネジが切ってある。例示されたラックと扇形ギヤ以外の他の調節手段も使用できる。
ラック１２６のそれぞれは、対応する押し引き棒に、止めナット１３０の手段により固定されている。両方の押し引き棒１２８は、横方向の駆動接続シャフト１３２（図２）と駆動モータ１３４の手段によって、同時に作動される。
このように、モータ１３４の動作によって、全ての対応するラック１２６が、その対応する半輪状扇形ギヤ１２４を動かすように動作され、こうして、スタンド１０Ａ，１０Ｂなどのベアリング・ハウジング７６、８０を同時に動かす。
こうして、全ての上部ダイが、上方又は下方のいずれかに、同じ量だけ同時に動く。
上に記述したように、調節は、また、シャフトとシャフト・スリーブの軸に沿って軸方向に行われる。この軸方向の移動は、図８、１２、１３および１４を参照するとよく理解できる。
ここでも、下部ダイ４８、５６は、この実施樹では、調節されないで固定されている。
上部ダイ４６、５４は調節されるダイである。これは、スタンド１０Ａ、１０Ｂの両者において、同じ手段により実行される。
ベアリング・ハウジング７６、８０は、両方とも、そのプレート３８、４０の穴の中で回転できて、それらはある限られた範囲で、そのプレート３８、４０に対して相対的に軸方向にスライドできる。この軸方向の移動は、それぞれのベアリング・ハウジング７６、８０に作られる輪状の溝１３５の手段によって実現される。溝１３５には自己潤滑式の非摩耗ブロック１３５Ａがある。そのブロック１３５Ａは中心窪み１３６をもつ。
平歯車１３８が、対応するプレート３８、４０の上部に取り付けられたクロス部品１４０に固定されている。平歯車１３８は、下方への軸方向延長部１４６をもつ。延長部１４６の自由端にはオフセット・スタブ１４８が位置する。スタブ１４８は、摩耗ブロック１３５Ａにある窪み１３６で受けられる。
このように、押し引き棒１４２の移動に対応したラック１４０の動作により、平歯車１３８がひとつの方向に、または、反対方向に回転するのが理解されよう。これがオフセット・スタブ１４８、その延長部１４６およびギヤ１３８の円運動を引き起こす。
この円運動が対応するベアリング・ハウジング７６、８０を、その対応するプレート３８、４０に対して相対的に、軸方向で、ひとつの方向に、またはその反対方向に移動するようにする。
この移動の結果、輪状の扇形ギヤ１２４の、対応するラック１２６に対して相対的なわずかな水平方向の移動がある。しかし、その移動量は比較的わずかであるので、これは動作において何の問題も引き起こさない。
押し引き棒１４２はクロス・シャフト１５０とモータ１５２によって動作するので、全てのスタンド１０Ａ、１２Ａ，１０Ｂ，１２Ｂなどにある押し引き棒は同時に動作する。
このように、ロール成形ラインの動作中に、もし検知器６０がウェブの厚さの変化を検知するならば、それはコンピュータ６０にひとつの信号を送る。コンピュータ６４は、モータ１３４、１３５に、異なるウェブの厚さに対応できるように、二平面のダイ・クリアランスを調節するよう信号を送る。この調節は、勿論、比較的少量であるが、ウェブの成形動作の最高の品質を維持する効果をもち、もしダイ・クリアランスが調節されない場合にはそのような高品質は得られない。
勿論、ひとつのウェブからもうひとつのウェブへ、ロール成形装置の動作を変更する際にはウェブは、処理された前のウェブに比較してなにがしか、または減少した厚さをもっていることは理解されよう。
これらに対する調節は大部分の場合、単純にコンピュータをプログラムすることによって考慮され、したがってコンピュータは、モータ１３４、１５２に、新しいウェブの厚さに適合するようにダイ・クリアランスを調節する指令を送る。
ウェブ厚さの極端な変更の場合には、勿論、押し引き棒にあるラックの位置を再調節することが必要である。これは単に留めナットを緩め、ラックの位置を再設定し、ラックを新しい位置に固定するために留めナットを締めることによって簡単に行われる。
図１５、１６に一般的に例示されている本発明の別の実施例によると、図１から１４の実施例での動作といくぶん異なる形の動作が提案されている。
図１から１４までの実施例ではＣ断面が、機械の先導端でＣ断面の二つの外側断面を曲げることにより成形され、ロールの下流のセットでＣ断面の中間部の曲げを順次成形する。
これはしかしながら、この方法で簡単に成形されるＣ断面のサイズと形状にある制限を与える。
図１５、１６の実施例によると、Ｃ断面の内側の曲がりが最初にロールの初段のセットによって成形され、Ｃ断面の最終的な内側に曲がった縁部は主ロールから下流で最後に成形される。これはある利点をもっている。それは一台の機械で成形される縁部のサイズとウェブの厚さの広い範囲のものを可能にする。
それはまた、簡単な調節を可能にする。
図１５、１６の実施例は、また、全てが以下に記述されるように、完成したＣ断面の伸ばし機を提供するもので、それは、実際、図１から１４または１６および１６と共に使用される。
図１から１４と図１５、１６の多くの特徴は両者に共通で、それらは図１から１４に関連して既に記述されているので、したがっていくぶん詳細は省いて記述する。
次に図１６を参照すると、本発明のこの実施例は、一般的に２００で示されるロール成形装置を含み、それは上流端２０２と下流端２０４をもつ。ウェブ材料は、平らなウェブからＣ断面に成形される過程で、上流端から下流端へ通過していく。
装置２００は、また、連続調節を行うために図１に示されたと同様の上流にウェブ厚さの測定装置をもつ。
前と同様に、全装置は四角形の断面をした部品２０８に接続された四角形のビーム２０６の枠組でできた基底部に支持されている。
前と同様に２１０、２１２、２１４、２１６、２１８、２２０、２２２および２２４で示される複数のローラ・ダイ・スタンドがある。図１６に示されるように、それぞれの場合に、それぞれのスタンドは、添字ａ−ｂで示される対応する右側および左側のダイ・スタンドで構成される。
また、前の実施例のように、それぞれのダイ・スタンドは上下ダイの対を含み、それらは必要な形状を作るために互いに噛み合う。
前と同様に上部ダイは、押し引き棒２２６、２２８の手段によって、下部ダイに対して相対的に移動できる。二つの棒はそれぞれ、装置の反対側にあり、それぞれａとｂで示されている（図１６参照）。
上下の移動を作る押し引き棒の動作と、上部ダイの水平方向の移動は、すでに記述されており、したがってこの装置については、単純化のためにここでは再び詳細にわたって記述しない。
同様に、図１１から１４の実施例にあるように、ダイ・スタンド２１０Ａ、２１０Ｂなどは互いに離れるようにまたは近づくように移動可能で、スタンドの間の間隙を変えるようにし、異なる数のスペーサ・ロールがその間に挿入できるようにする。２３０で示されるスペーサ・ロールは昇降機構２３４（図１５参照）の手段によって動作するスペーサ・ロール・テーブル２３２の上に乗せられている。スペーサ・ロール・テーブルおよび昇降機構の全ては、図１から１４の実施例ですでに記述されたのと同じ方法で動作する。
前のように、ローラ・ダイ・スタンドは、伝達機構２３８を通じて駆動する一個の共通の駆動モータ２３６により駆動される。
押し引き棒２２６はモータ２４０の手段によって動作され、押し引き棒２２８はモータ２４２の手段によって動作される。
前述したように、本発明のこの実施例は、主ローラー・ダイ・スタンドから下流において、Ｃ断面の端縁部の成形が行われる。端縁部成形用のダイ・スタンドは、図１５、１６では一般的に２５０、２５２で示されている。この場合、端縁部成形用ダイ・スタンド２５０および２５２のそれぞれは、２５４および２５６で示されるように、それぞれの側にある外側および内側にある端縁部成形ダイの５個の対で構成される。
図１５および１７から２４で見られるように、それぞれの端部成形用ダイ２５４、２５６のそれぞれの対は、外側ダイ２５４と内側ダイ２５６で構成され、外側ダイは、以下に述べる理由によって内側ダイよりもかなり大きな直径をもつ。
外側ダイ２５４のそれぞれのセットは、対応する共通の取り付けフレーム２５８に装着され内側ダイ２５６のそれぞれのセットはサブ・フレーム２６０に装着される。サブ・フレーム２６０は取り付けフレーム２５８に装着され、以下に記述されるようにそれに対して相対的に移動可能である。ダイ２５４、２５６の全体が、グループとして他のセットへ近づけたり離したり移動ができて、二つの取り付けフレーム２５８−２５８の移動によって、異なる幅の加工材料に適用でき、または異なる寸法のＣ断面が形成できるようにする。
このように、ダイ２５４、２５６の二つのグループをのせた二つの取り付けフレーム２５８−２５８は、図１−１４に同様の横方向の移動手段（図示されていない）により、また全てのダイを横方向に同時に移動することにより、互いに近づけたり引き離したりする移動ができる。
この装置は、また、ダイ２５４、２５６の二つのグループを支える取り付けフレーム２５８−２５８の上下の調節のための移動を可能にする。これらの上下の調節のための移動は、シャフト２６４を通じて動作するモータ２６４とギヤ駆動機構２６６の手段によって行われ、その下端は、直接、それぞれ、取り付けフレーム２５８、２５８に直接接続されている。ガイド支柱２６８がそのような垂直方向の移動をガイドする。
この方法で水平ダイの二つのグループの位置取りが上下に調節できて、異なる形状のＣ断面、すなわち深いウェブ断面をもつ、または浅い断面をもつ異なる形状の製作を可能にする。
図２０は、それぞれの内側ダイに２５４が、アイドル・ギヤ２７２Ａによって接続された駆動ギヤ２７２をもつ駆動シャフト２７０に取り付けられた様子を示す。ギヤ２７２の一つが細長い駆動ギヤ２７４と噛み合っている。細長い駆動ギヤ２７４である理由は、全てのダイの対を調和をとって動かすために枠組２５８を上下に動かすことによって行われる、すでに記述した上下の移動を可能にするためである。
ギヤ２７４は、主駆動トレイン２７８に接続されたシャフト２７６に取り付けられている。
外側ダイ２５４は、すでに説明したように、それ自身調節可能ではない。
水平ダイの対の中の内側ダイに対して相対的な外側ダイの調節は図２１、２２および２３を参照すると最もよく理解できる。
外側ダイ２５４と内側ダイ２５６のクリアランスの調節は、垂直面内において、また横方向の面において、外側ダイの移動をグループとして調節することにより実現される。サブ・フレーム２０６は、取り付けフレーム２５８の上に、それが垂直および横方向に動くことができるような方法で取り付けられる。
内側ダイの垂直方向の調節は、サブ・フレーム２６０がそれぞれの端部に取り付けられたシャフト２８０を含む。シャフト２８０はスリーブ２８２の中に取り付けられている。ジャック・スクリュー２８４がネジ切り部品２８６とはまり合う（係合する）。シャフト２８０は、シャフト２８０の上端部にある細長いギヤ２８８と噛み合う押し引き棒２２６Ａ、２２６Ｂの手段によって動作される。部品２８６はサブ・フレーム２６０のどちらかの端に固定された補足プレート２９０に固定されている（図２１、２２）。シャフト２８０の回転がこうしてサブ・フレーム２６０を、フレーム２５８に対して相対的に押し上げたり押し下げたりする。
クリアランス調節のための、内側ダイの外側ダイに対する相対的な横方向の調節もまた、サブ・フレーム２６０のフレーム２５８に対する横方向の相対的な移動の手段によって実現される。
シャフト２９２は、押し引き棒２２８Ａ、２２８Ｂに噛み合うギヤ２９４をもつ。シャフト２９２はサブ・フレーム２６０を貫通して側面フレーム３８に伸びている偏芯シャフト２９６に接続されている。シャフト２９６はその下端にシャフト２９２と同軸のボス２９６をもつ。このように、シャフト２９２の回転がシャフト２９６の偏芯した円運動を引き起こし、サブ・フレーム２６０がフレーム２５８に対して相対的に横方向に移動する動きを引き起こす。
図１５、１６の装置では、さらに、装置の両側にある二対の端部仕上げロール装置３００Ａ、３００Ｂの手段によって、端部仕上げ加工が行われる。端部仕上げロール装置は、下部ダイ３０２と上部ダイ３０５の中間に側部ダイをもつ。この方法で、三つのダイをＣ断面の三つの外側表面に当てることができ、最後の仕上げと四角に成形するステップを実行できる。
二つのダイ装置の内側および外側への移動は、すでに前述した（図１−１４）横方向への移動の主機構によって行われる。
仕上げダイ装置３００のそれぞれの下部ダイ３０２は、高さが固定され、調節はできない。側面ダイ３０６は、単純に下部ダイ３０２に相対的に固定され、したがって、それらは、仕上げダイ装置全体の内側または外側への移動と共に、内側および外側への単純な調節が行われる。
それぞれの仕上げダイ装置の上部ダイは、異なる寸法の異なるＣ断面が成形されることを考慮して、上方および下方に移動できる。これは、モータ３１０により、適切な伝達装置を通じて駆動されるジャッキ・スクリュー３０８の手段によって実現される。ジャッキ・スクリューの下端は、上部ダイ３０４のためのシャフト３１４を入れるベアリング・ハウジング３１２に固定されている。
こうして、ジャッキ・スクリューの動作が、ベアリング・ハウジング３１２全体を、上方または下方に移動させる。
最後に、この実施例では、Ｃ断直が仕上げロールから出ていくときに真っすぐに伸ばす操作が行われる。
Ｃ断面を成形するときに、それらが歪む傾向をもつ。すなわち断面が上方または下方あるいは側方に曲がる傾向をもつことはよく知られている。
この傾向を防ぐために、下流の装置の出口に、真っすぐに伸ばす装置３２０Ａ、３２０Ｂが備えられている。これは図１９、２５を参照すると最もよく理解される。真っすぐに伸ばす装置は、固定された下部ロール３２２をもち、それはＣ断面の最も下のウェブの通過ラインに沿って置かれた側面ロールと共に、スリーブに沿って移動可能である。二つの、先導および追従の、真っすぐに伸ばすロール３２４、３２６は、下部ロールの上に、互いに上流および下流に間隔を空けて取り付けられている。
加えて、側面ロール３２８が、Ｃ断面の側部に当たるように装備されている。
他のロールの場合と同様に、真っすぐに伸ばすロールは、装置の両側面に左および右のセットとして取り付けられ、それらは、前述した方法と同様にそれに調和をとって互いに近づいたり離れたりするよう移動する。
下部ロール３２２と側面ロール３２８は一緒に出し入れされる。二つの上部ロールは、軸３３２に軸回転できるように取り付けられた、一般的に逆Ｕ字型をしたヨーク３３０に取り付けられている（図１９）。
このヨークは、こうして軸の周りに傾くことが出来、一方のロールを下方に、そして他方のロールを上方に曲げることが出来、またその逆に曲げることが出来る。
ヨーク３３０の一方の端には、モータ３３６によって動作するジャッキ・スクリュー３３６が接続されている（図２５）。
このモータの動作により、ヨークの一方の端が上方または下方のいずれかに傾けられる。
このように、もしＣ断面が歪む傾向があれば、ジャッキ・スクリュー３３４が持ち上げられて追従ダイ３２６を下方へ動かし、こうしてＣ断面の上方への歪みを矯正する。
もしＣ断面が下方へ歪んでいる場合には、ジャッキ・スクリュー３３４が逆の方向に動作され、先導ダイ３２４を押し下げる。
側面ロールは、また、横方向の歪みを矯正するために側方から側方へ動作可能である。これは、モータ３４０により動作するジャッキ・スクリュー３３８の手段によって実現される。ジャッキ・スクリュー３３８の一つの方向への動作は、側面ロール３２８が一つの方向に動くようにし、ジャッキ・スクリューの逆方向への動作がロールを逆の方向へ動かす。
このように、両側にあるモータ３４０−３４０の動作によってＣ断面のそれぞれの側面にある二つの側面ロール３２８と二つの底面駆動ロールを左または右に移動し、こうして側面への捩れを真っすぐにする。
光学センサー３４２（図１９）および３４４（図２５）のような歪みセンサーがコンピュータ６４に接続されており、モータ３３６、３４０に送られる適切な信号を発生する。
本発明の更なる実施例が図２６から３０に例示されている。この実施例では、製作される加工片が、一般的にＣとして示される直角形状をもつＣ断面で示されている（図２７）。それは一般的には平板状のウェブＷ、側面縁部Ｓそして端縁部Ｅをもつ。この実施例では、端縁部は側縁と直角をなし、側縁は、この実施例では、ウェブと直角をなす。
ウェブ加工片が、上流端からステーション１０Ａ、１０Ｂ，１２Ａ，１２Ｂなどを通過して下流へ行くとき、端縁部Ｅがまず成形される。引き続くステーションで、側縁がウェブから徐々に曲げ上げられる。この曲げ工程は、ロール・ダイのそれぞれのセットで、典型的には１０から２０度の角度で徐々に実行される。
側縁ＳがウェブＷに対して約７０度から８０度に達するときに、端縁Ｅはダイのそれぞれの対にある上部ロール・ダイと干渉を始めて、側縁Ｓがそれ以上曲げられなくなる。
側縁Ｓの最後の曲げを、ウェブに対して８０度から９０度へ完結させるために、本発明では、上部の角度のついた角成形用のロールまたはダイ４００から４０２のセットを備えており、それらは以下に記述する理由で装置の長手方向に沿って互いに間隔を置いて配置され、下流端Ｄへ向かって装置の側面から側面へ交互に配置されている。
この目的は、比較的狭い幅の加工片を成形するために、ロール・ダイ・スタンドを互いに近づけることが出来るようにするためである。もし、傾斜のついた角用のダイ４００、４０２の対が、互いに交互に、またはオフ・セットに配置されず、互いに並んで配置されると、狭いウェブを作るのに必要な互いに接近した配置が出来なくなる。
図２７に示されるように、上部の傾斜つきダィ４００、４０２は、傾斜した軸シャフト４０４に取り付けられている。本発明のこの実施例では、加工片の摩擦が傾斜したダイ４００、４０２を駆動するのに十分であるので、駆動機構は示されていない。しかし、もし必要なら、上部ダイは、勿論、適切な傾斜した、または万能の駆動装置で駆動される。
傾斜したロール、またはダイ４００、４０２は、ウェブＷの下面と噛み合わさる対応するダイ４０６と協調して動作する。下部ダイ４０６は、シャフト４０８とギヤ４１０のようななんらかの適切な機構によって駆動される。傾斜したダイも、また、この種の技術ではよく知られた、記述が必要でないような、なんらかの適切な手段によって駆動される。
傾斜したロール４００、４０２は角度がついており、十分な直径をもっているので、それらは、内側に折れ曲がった端縁Ｅのまわりと、ウェブＷと側縁Ｓの間の角（コーナー）とに到達可能である。このような方法で、もし必要なら９０度以上の角度の曲げを作るために、この地点で、完全な９０度の曲げ、または必要ならば、さらに大きな角度の曲げを可能にする。
すでに注意を喚起したように、傾斜のついたダイは、対の間で段違いにオフセットをつけて配置されているので、幅の狭い加工材料のために対向する二つのローラー・ダイ・スタンドが接近しても、上記のような万能の調節可能なローラー・ダイ・スタンドの場合と同じように、傾斜したダイは互いに干渉せず、したがって、装置が比較的狭いウェブ加工片にも使用できるので、このことは、使用上、大きな柔軟性を保証する。
ローラー・ダイ・スタンドは、上記のようなタイプの調節可能な設計で、それによると、ローラー・ダイ・スタンドが連続状の頑丈な取り付けプレート４１２、４１４に取り付けられ、プレートは、上記のような異なる幅をもつ加工片に容易に適合するように、互いに近づいたり遠ざかったりするように移動可能で調節可能である。
それぞれの側で、加工片Ｗと側端Ｓの間の曲げの正確な角度を保証するために、複数の側端ロール４１６、４１８、などが装備されている。側端ロール４１６、４１８は、自由に回転できるように、軸シャフト４２０に取り付けられている。図２８、２９に最もよく示されるように、ロール４１６、４１８の軸シャフト４２０は傾斜した取り付けブロック４２２に取り付けられている。取り付けブロック４２２には、そのいずれかの側面にアーク状の部分４２８がある。部分４２８は、チーク・ブロック４３２に作られたアーク状の溝４３０で受けられる。チーク・ブロック４３２は装置の主取り付けプレート４１２−４１４に、ボルト４３４によって固定される。
取り付けブロック４２２は、下部グイ・シャフト４０８を受けるために、アーク状のチャンネル４３６がついている。
取り付けブロック４２２には、溝を切った受け部４３８がある。受け部４３８は、ジャッキ・スクリュー４４２の下端４４０を受けるように設計されている。ジャッキ・スクリュー４４２は、伝導モーター４４４の手段で駆動される。
こうして、モーター４４４を一方の方向に駆動すると、ブロックを上方に傾け、そしてモーター４４４を逆に駆動すると、ブロックを下方に傾ける。その結果このことが、側面ダイ４１６、４１８の内側および外側への傾きを作る（図２８参照）。
適切な角度検知器４４６の手段によって（図２６）、上部Ｗに対する側縁Ｓの角度が測定され、その変化がただちにモーター４４４へフィードバックされ、その結果、側面ロール４１６、４１８の傾きを矯正し、こうして側縁の角度を矯正する。ジャッキ・スクリュー４４２の下端は、軸ピン４４８の手段によって、スロット４３８に軸回転できるように取り付けられている。
ある場合には、例えばウェブ材料の厚さの変化に対応できるように、上部の角を成形する傾斜したダイ４００、４０２の調節ができることが望ましい。そのような調節は、前記の万能タイプのロール成形ラインに、すなわち全てのローラ・スタンドが、加工材料の厚さの変化に対応できるよう広いあるいは狭いクリアランスをもつように連続的に調節できるタイプのラインに使用するときには、とりわけ有用である。このように、角を成形するダイは、移動可能な取り付けダイ４５０に取り付けられる。取り付けダイ４５０はプレート４１２−４１４から垂直上方に伸びる平行な柱４５２に取り付けられている。
下部ダイ４０６は加工材料のウェブの幅全体に伸び、ダイ４０６の本体部から外側に伸びる狭い円周リム４５４の形状に作られるのが望ましい。上部ダイには、また、相補的なリッジ４５６がある。リッジとリムが互いに協力して、リムとリッジの間の加工片の角を固定し、こうして精度のよい形状の角度曲がり、この地点では通常９０度の曲げを作る。
スクリュー調節４５８（図３０）があり、これが取り付けダイ４５０が柱４５２の上で上方または下方にスライドできるように動作する。ダイヤル４６０はダイ４５０の設定の視覚によるチェックを可能にする。モータ４６２には動作スクリュー４５８がついている。モータは、すべてのローラ・ダイ・スタンド（図示されていない）を制御する主制御コンソールに接続され、全ラインがウェブ厚さの変化に適用するよう連続的に自動的な調節が可能になる。
上方ダイを横方向に調節するために、柱またはコラム４５２はレール４６８（８８？）に固定された基底部４６４に取り付けられている。こうして基底部は横方向の前後にスライドできる。調節スクリュー４７０があり、それは、また、もし必要ならば手段は示されていないがモータで駆動される。スクリュー４７０の動作は基底部４６４の横方向にスライドする移動を可能にし、こうして、図２８の点線で示されるようにウェブ厚さの変化に適応できるように、下部ダイに対して相対的に、そして側面ロールに対して側面から上部ダイを内側または外側に調節する。
前の記述は単にひとつの例として例示された本発明の望ましい実施例の記述である。本発明は、前述の特定の特徴のいずれかに制限されるものではなくて、添付された請求項の範囲にある全ての変形をも含むものである。
【図１】
0004052394.tif 000002
【図２】
0004052394.tif 000003
【図３】
0004052394.tif 000004
【図４】
0004052394.tif 000005
【図５】
0004052394.tif 000006
【図６】
0004052394.tif 000007
【図７】
0004052394.tif 000008
【図８】
0004052394.tif 000009
【図９】
0004052394.tif 000010
【図１０】
0004052394.tif 000011
【図１１】
0004052394.tif 000012
【図１２】
0004052394.tif 000013
【図１３】
0004052394.tif 000014
【図１４】
0004052394.tif 000015
【図１５】
0004052394.tif 000016
【図１６】
0004052394.tif 000017
【図１７】
0004052394.tif 000018
【図１８】
0004052394.tif 000019
【図１９】
0004052394.tif 000020
【図２０】
0004052394.tif 000021
【図２１】
0004052394.tif 000022
【図２２】
0004052394.tif 000023
【図２３】
0004052394.tif 000024
【図２４】
0004052394.tif 000025
【図２５】
0004052394.tif 000026
【図２６】
0004052394.tif 000027
【図２７】
0004052394.tif 000028
【図２８】
0004052394.tif 000029
【図２９】
0004052394.tif 000030
【図３０】
0004052394.tif 000031